(57)【要約】【課題】容易に電源のＯＮ／ＯＦＦの操作を行うことのできる自動合焦機構付き眼鏡を提供する。【解決手段】自動合焦機構付き眼鏡１は、フレーム部３と、該フレーム部３に設けられて、対象物までの距離を測定する測距センサ４３１と、該測距センサ４３１により測定した結果に基づいて所定の位置に移動することによって焦点調節及び視度調整を行う光学系４１と、該光学系４１を駆動させるレンズ駆動部４２とを有する自動合焦機構４と、フレーム部３に設けられて、自動合焦機構４に電気を供給し該自動合焦機構４を駆動させる電源部５とを備える。フレーム部３に、装着／非装着を検知することによって電源部５のＯＮ／ＯＦＦ動作を行う接触センサ式スイッチ６を設ける。【選択図】　　　　図２
2004045831.tif 000002
【特許請求の範囲】
【請求項１】
フレーム部と、
該フレーム部に設けられて、対象物までの距離を測定する測距部と、該測距部により測定した結果に基づいて所定の位置に移動することによって焦点調節及び視度調整を行う光学系と、該光学系を駆動させるレンズ駆動部とを有する自動合焦機構と、
前記フレーム部に設けられて、前記自動合焦機構に電気を供給し、該自動合焦機構を駆動させる電源部とを備えた自動合焦機構付き眼鏡であって、
前記フレーム部には、装着／非装着を検知することによって前記電源部のＯＮ／ＯＦＦ動作を行う接触センサ式スイッチが設けられていることを特徴とする自動合焦機構付き眼鏡。
【請求項２】
請求項１に記載の自動合焦機構付き眼鏡において、
前記接触センサ式スイッチは、前記フレーム部の先端で両耳に係止されるモダン部において両耳間の導電率変化を感知することによって装着／非装着を検知することを特徴とする自動合焦機構付き眼鏡。
【請求項３】
請求項１に記載の自動合焦機構付き眼鏡において、
前記接触センサ式スイッチは、前記フレーム部の鼻パッド部において鼻の導電率変化を感知することによって装着／非装着を検知することを特徴とする自動合焦機構付き眼鏡。
【発明の詳細な説明】
【０００１】
【発明の属する技術分野】
本発明は、自動的に焦点調節及び視度調整が行われる自動合焦機構を備えた自動合焦機構付き眼鏡に関するものである。
【０００２】
【従来の技術】
従来より、自動合焦望遠眼鏡を弱視者用の補助眼鏡として使用することが知られている。このような自動合焦望遠眼鏡は、望遠鏡光学系、測距センサ、対物レンズ駆動モータ及び制御回路等を備えており、測距センサによって見ようとする対象物までの距離が測られて、それに応じて制御回路が対物レンズの合焦位置を計算し、対物レンズ駆動モータに動作指示を出す。次いで、対物レンズが指定された位置まで動き停止すると、眼鏡を装着している弱視者は、対象物の拡大像を視覚することが可能となる。
ところで、このような眼鏡において、上述したような機能を動作させるために電源から電気を供給する必要がある。そのため、通常、眼鏡自体に又は電気ケーブルでつながった別の筐体に電源スイッチを設置し、手動で電源スイッチのＯＮ／ＯＦＦ操作を行っていた。
【０００３】
【発明が解決しようとする課題】
しかしながら、例えば、弱視者が眼鏡を装着して使用する際に、上述したような手動で操作を行う電源スイッチの場合は、弱い視力で電源スイッチの位置を探してＯＮの状態に操作しなければならないので、煩わしく不便であり、容易に電源スイッチを操作することが望まれていた。
【０００４】
本発明は、上記事情に鑑みてなされたもので、容易に電源のＯＮ／ＯＦＦの操作を行うことのできる自動合焦機構付き眼鏡を提供することを課題としている。
【０００５】
【課題を解決するための手段】
上記課題を解決するために、請求項１の発明は、例えば、図１〜図３に示すように、フレーム部３と、
該フレーム部に設けられて、対象物までの距離を測定する測距部（例えば、測距センサ４３１）と、該測距部により測定した結果に基づいて所定の位置に移動することによって焦点調節及び視度調整を行う光学系４１と、該光学系を駆動させるレンズ駆動部４２とを有する自動合焦機構４と、
前記フレーム部に設けられて、前記自動合焦機構に電気を供給し、該自動合焦機構を駆動させる電源部５とを備えた自動合焦機構付き眼鏡１であって、
前記フレーム部には、装着／非装着を検知することによって前記電源部のＯＮ／ＯＦＦ動作を行う接触センサ式スイッチ６が設けられていることを特徴とする。
【０００６】
請求項１の発明によれば、前記フレーム部には、装着／非装着を検知することによって前記電源部のＯＮ／ＯＦＦ動作を行う接触センサ式スイッチが設けられているので、前記接触センサ式スイッチがユーザーの装着を検知することによって電源部がＯＮの状態とされると、電源部は前記自動合焦機構に電気を供給する。これにより、前記測距部が対象物までの距離を測定し、測定した距離に基づいて前記レンズ駆動部が前記光学系を所定の位置に移動させることによって、焦点調節と視度調整とが行われる。すなわち、ユーザーは、自分の視力に合った対象物の拡大像を視覚することが可能となる。
また、前記接触センサ式スイッチがユーザーの非装着を検知することによって電源部がＯＦＦの状態とされると、前記電源部は自動合焦機構へ電気を供給するのをやめ、これにより自動合焦機構の動作が停止する。
したがって、従来のように、電源のＯＮ／ＯＦＦの操作を眼鏡自体に又は電気ケーブルでつながった別の筐体に設置された電源スイッチを手動で操作することなく、前記接触センサ式スイッチがユーザーの装着／非装着を検知することによって自動的に電源部がＯＮ／ＯＦＦされるので、取り扱いが容易となる。よって、例えば、弱い視力で電源スイッチの位置を探すといった煩わしさを解消することができる。
【０００７】
請求項２の発明は、例えば、図１〜図３に示すように、請求項１に記載の自動合焦機構付き眼鏡において、
前記接触センサ式スイッチは、前記フレーム部の先端で両耳に係止されるモダン部３５，３５において両耳間の導電率変化を感知することによって装着／非装着を検知することを特徴とする。
【０００８】
請求項２の発明によれば、前記接触センサ式スイッチが、両耳間の導電率変化を感知することによって装着／非装着を検知するので、前記モダン部が両耳に接触することによって前記接触センサ式スイッチが両耳間の導電率増加を感知し前記電源部がＯＮとされて、モダン部が両耳から非接触となると前記接触センサ式スイッチが両耳間の導電率減少を感知し電源部がＯＦＦとされる。
したがって、従来と異なり、眼鏡自体に又は電気ケーブルでつながった別の筐体に設置された電源スイッチを手動で操作することなく取り扱いが容易となる。
【０００９】
請求項３の発明は、例えば、図１〜図３に示すように、請求項１に記載の自動合焦機構付き眼鏡において、
前記接触センサ式スイッチは、前記フレーム部の鼻パッド部３３，３３において鼻の導電率変化を感知することによって装着／非装着を検知することを特徴とする。
【００１０】
請求項３の発明によれば、前記接触センサ式スイッチが、鼻の導電率変化を感知することによって装着／非装着を検知するので、前記鼻パッド部が鼻に接触することによって前記接触センサ式スイッチが鼻の導電率増加を感知し前記電源部がＯＮとされて、鼻パッド部が鼻から非接触となると前記接触センサ式スイッチが鼻の導電率減少を感知し電源部がＯＦＦとされる。
したがって、従来と異なり、眼鏡自体に又は電気ケーブルでつながった別の筐体に設置された電源スイッチを手動で操作することなく取り扱いが容易となる。
【００１１】
【発明の実施の形態】
以下、本発明の実施の形態を図面に基づいて説明する。
図１は、本発明の自動合焦機構付き眼鏡の斜視図、図２は、自動合焦機構付き眼鏡の概略構成を示す図である。
図１及び図２に示すように、本発明の自動合焦機構付き眼鏡１は、レンズ２，２、フレーム部３、自動合焦機構４、電源部５、接触センサ式スイッチ６，６を備えている。
【００１２】
フレーム部３は、２つのレンズ２，２を支持するリム（レンズ枠）３１，３１と、リム３１，３１及びレンズ２，２を繋ぐブリッジ３２と、リム３１，３１に設けられた鼻パッド部３３，３３と、各レンズ２，２の端から延びている２本のテンプル３４，３４と、テンプル３４，３４の先端で両耳に係止されるモダン部３５，３５とから構成されている。
【００１３】
自動合焦機構４は、図２に示すように、光学系４１、レンズ駆動部４２、駆動制御部４３から構成されており、箱状のケースＣ内に収められている。
ケースＣは、片側のレンズ２を支持するリム３１の上部に突出して、レンズ２と平行となるように固定されている。また、ケースＣの前面中央部には、後述する対物レンズ４１１に光が入射するように窓部Ｍが形成されている。
【００１４】
光学系４１は、対物レンズ４１１と接眼レンズ４１２とから主に構成されている。図２におけるＡはアイポイントであって、ユーザーが本発明の自動合焦機構付き眼鏡１を介して物体を見る際の眼の位置となる。
【００１５】
対物レンズ４１１は、図示しないレンズ支持部によってレンズ駆動部４２に支持され、レンズ駆動部４２が駆動することにより光軸方向Ｂに可動自在とされている。
接眼レンズ４１２は、アイポイントＡにおいて物体の像を観察した場合に、標準的な視力を有するユーザーに対して視度が合うようになっている。
そして、窓部Ｍを介して対物レンズ４１１に入射した物体像は、接眼レンズ４１２の前で結像し、ユーザーは接眼レンズ４１２を介して平行光となった物体像を観察するようになっている。
焦点は、物体までの距離に応じ、対物レンズ４１１と接眼レンズ４１２との間で結像するように対物レンズ４１１を光軸方向Ｂに駆動することで調節される。また、対物レンズ４１１を光軸方向Ｂに駆動すると、結像面が光軸方向Ｂに前後に動き、アイポイントＡから接眼レンズ４１２を介して観察される像の視度が変化する。
【００１６】
レンズ駆動部４２は、対物レンズ駆動モータ４２１と、図示しないギヤからなるギヤ列と、レンズ支持部に挿通されるスクリューネジとから構成されている。対物レンズ駆動モータ４２１は、駆動制御部４３の制御によって回転し、その回転はギヤ列を介してスクリューネジに伝達される。そして、スクリューネジは、対物レンズ駆動モータ４２１の回転に応じて、レンズ支持部が光軸方向Ｂに移動するように回転する。
【００１７】
駆動制御部４３は、測距センサ４３１と、制御回路４３２とを備えている。
測距センサ４３１は、観察する物体までの距離を測定し、制御回路４３２に対して距離情報を出力する。
一方、視度調整は、ユーザーが操作する＋ボタンと−ボタンとを備え（図示しない）、＋ボタンもしくは−ボタンのそれぞれの操作に対応して視度調整信号を制御回路４３２に出力する。
【００１８】
制御回路４３２は、測距センサ４３１から距離情報が入力されると、焦点を合わせるために適切な対物レンズ４１１の位置を計算し、その位置まで対物レンズ４１１が移動するようにレンズ駆動部４２にモータ駆動信号を出力する。そして、このモータ駆動信号に基づいて対物レンズ駆動モータ４２１が回転し、レンズ支持部を介して対物レンズ４１１が所定の方向と距離だけ移動するようになっている。
一方、視度調整作用としては、＋ボタンからの視度調整信号が入力されると、制御回路４３２は観察される像の視度が＋側に変化するようにモータ駆動信号を出力する。また、視度調整の−ボタンが操作されると制御回路４３２は視度が−側に変化するようにモータ駆動信号を出力する。対物レンズ駆動モータ４２１は、これらのモータ駆動信号に応じて回転し、レンズ支持部を介して対物レンズ４１１を前方もしくは後方に駆動させる。これにより結像面が光軸方向Ｂに移動し、視度は＋側あるいは−側に変化する。
この視度調整操作においては、ユーザーの視度調整の操作に応じた距離だけ、対物レンズ４１１が移動するようになっている。
また、制御回路４３２は、ＩＣ（半導体集積回路）化され、基板上に実装されている。
【００１９】
電源部５は、充電式の電池ボックス５１と、電気ケーブル５２とを備えている。
電気ケーブル５２は、一方の端部が電池ボックス５１に接続され、他方の端部がフレーム部３の片方のテンプル３４に接続されており、これによって電池ボックス５１と接触センサ式スイッチ６と自動合焦機構４とが電気的に接続されている。
【００２０】
接触センサ式スイッチ６，６は、フレーム部３のモダン部３５，３５に内蔵されており、両耳間の導電率変化を感知することによって装着／非装着を検知し、自動合焦機構４のＯＮ／ＯＦＦ動作を行う。
つまり、ユーザーのそれぞれの耳が電極Ｒ、電極Ｌとなっており、接触センサ式スイッチ６は、ユーザーが本発明の自動合焦機構付き眼鏡１を装着した際（モダン部３５，３５が両耳に接触した際）にＯＮとなり、逆にユーザーが眼鏡１を顔から外した際（モダン部３５，３５が両耳から非接触となった際）にＯＦＦとなる作用をする。このように、接触センサ式スイッチ６がＯＮとなると、接触センサ式スイッチ６と電気的に接続された電気ケーブル５２を介して電池ボックス５１から自動合焦機構４に電気が供給されるようになっており、接触センサ式スイッチ６がＯＦＦとなると、自動合焦機構４への電気の供給が停止されるようになっている。
【００２１】
図３は、自動合焦機構付き眼鏡の回路図の一例である。図３において、可変抵抗部６１がユーザーの両耳間の電気抵抗値であり、通常、数１００ｋΩから数ＭΩ程度の値を示す。図３中、Ｒ点及びＬ点は、図２の電極Ｒ及び電極Ｌにそれぞれ対応している。
この回路中のオペアンプ６２は、回路中のＸ点とＹ点の電位を比較し、Ｘ点の方がＹ点より高い時にリレーのコイル６３に電流を流しスイッチ６４をＯＮ状態にする。また、Ｘ点の電位がＹ点の電位よりも低い時には、スイッチ６４はＯＦＦ状態のままとなる。
したがって、自動合焦機構付き眼鏡１を装着していないときは、抵抗値は無限大であるからＸ点の電位はＹ点の電位よりも低く、回路のスイッチ６４はＯＦＦ状態のままであり、装着した時点で抵抗値が無限大から有限（導電率増加）となるため電流が流れ、Ｘ点の電位はＹ点の電位よりも高くなり回路のスイッチ６４はＯＮ状態に切り替わる。
なお、回路中、電池は電源部５の電池ボックス５１を示し、電池の両端の導線は電気ケーブル５２に当たる。また、符号４３２は、自動合焦機構４の制御回路を示している。
【００２２】
次に、本発明の自動合焦機構付き眼鏡１の動作について図２及び図３を参照して説明する。
自動合焦機構付き眼鏡１を装着していないときは、両耳間の抵抗値は無限大であるのでＸ点の電位はＹ点の電位よりも低く、接触センサ式スイッチ６がＯＦＦ状態となる。この状態から、ユーザーが自動合焦機構付き眼鏡１を装着した時点で、抵抗値が無限大から有限（導電率増加）となるため電流が流れ、Ｘ点の電位はＹ点の電位よりも高くなり接触センサ式スイッチ６はＯＮ状態に切り替わる。このようにして接触センサ式スイッチ６がＯＮ状態となると、電気ケーブル５２を介して電池ボックス６１から自動合焦機構４に電気が供給される。そして、上述したように測距センサ４３１が観察する物体までの距離を測定し、制御回路４３２に対して距離情報を出力すると、制御回路４３２は焦点を合わせるために適切な対物レンズ４１１の位置を計算し、その位置まで対物レンズ４１１が移動するようにレンズ駆動部４２にモータ駆動信号を出力する。そして、このモータ駆動信号に基づいて対物レンズ駆動モータ４２１が回転し、対物レンズ４１１が所定の方向と距離だけ移動する。これにより、ユーザーは、対象物の拡大像を視覚することができる。
一方、ユーザーが眼鏡１を外した時点で、抵抗値が有限から無限大（導電率減少）となるためＸ点の電位がＹ点の電位よりも低くなり接触センサ式スイッチ６はＯＦＦ状態に切り替わり、これにより、電池ボックス５１から自動合焦機構４へ電気が供給されなくなり、自動合焦機構４の動作が停止する。
【００２３】
本発明の実施の形態の自動合焦機構付き眼鏡１によれば、フレーム部３のモダン部３５，３５には、両耳間の導電率変化を感知することによって、装着／非装着を検知する接触センサ式スイッチ６が設けられているので、モダン部３５，３５が両耳に接触することによって接触センサ式スイッチ６が両耳の導電率増加を感知し電源部５がＯＮの状態とされる。これにより、電源部５は自動合焦機構４に電気を供給し、ユーザーは、自分の視力に合った対象物の拡大像を視覚することが可能となる。また、モダン部３５，３５が両耳から非接触となると接触センサ式スイッチ６が両耳の導電率減少を感知し電源部５がＯＦＦの状態とされる。これにより、電源部５は自動合焦機構４へ電気を供給するのをやめ、自動合焦機構４の動作が停止する。
このように、接触センサ式スイッチ６がユーザーの装着／非装着を検知することによって自動的に電源部５がＯＮ／ＯＦＦされるので、手動で操作することなく取り扱いが容易となる。よって、例えば、弱い視力で電源スイッチの位置を探すといった煩わしさを解消することができる。
【００２４】
なお、本発明は、上記実施の形態に限定されるものではなく、その要旨を逸脱しない範囲で適宜変更可能である。
例えば、上記実施の形態では、接触センサ式スイッチ６は、モダン部３５，３５において両耳間の導電率変化を感知することによって装着／非装着を検知し、電源部５をＯＮ／ＯＦＦ動作するように構成したが、導電率の変化は両耳間に限らず、例えば、鼻パッド部３３，３３において鼻の導電率変化を感知することによって装着／非装着を検知し、電源部５をＯＮ／ＯＦＦ動作するように構成しても良い。
また、対物レンズ４１１や接眼レンズ４１２の数や形状は、適宜選択可能とする。
【００２５】
【発明の効果】
請求項１の発明によれば、前記接触センサ式スイッチが装着／非装着を検知することによって、自動的に電源部がＯＮ／ＯＦＦされて、前記自動合焦機構に電気が供給されたり、電気の供給が停止される。したがって、容易に電源のＯＮ／ＯＦＦ操作を行うことができる。
【００２６】
請求項２の発明によれば、請求項１と同様の効果を得ることができるのは勿論のこと、前記モダン部が両耳に接触することによって前記電源部がＯＮとされて、モダン部が両耳から非接触となると電源部がＯＦＦとされる。したがって、容易に電源のＯＮ／ＯＦＦ操作を行うことができる。
【００２７】
請求項３の発明によれば、請求項１と同様の効果を得ることができるのは勿論のこと、前記鼻パッド部が鼻に接触することによって前記電源部がＯＮとされて、鼻パッド部が鼻から非接触となると電源部がＯＦＦとされる。したがって、容易に電源のＯＮ／ＯＦＦ操作を行うことができる。
【図面の簡単な説明】
【図１】本発明の実施の形態を示すためのもので、自動合焦機構付き眼鏡の斜視図である。
【図２】同、自動合焦機構付き眼鏡の概略構成を示す図である。
【図３】同、自動合焦機構付き眼鏡の回路図である。
【符号の説明】
１　自動合焦機構付き眼鏡
３　フレーム部
４　自動合焦機構
５　電源部
６　接触センサ式スイッチ
３３　鼻パッド部
３５　モダン部
４１　光学系
４２　レンズ駆動部
４３１　測距部
【図１】
2004045831.tif 000003
【図２】
2004045831.tif 000004
【図３】
2004045831.tif 000005